(57)【要約】【課題】ゴルフクラブヘッド、より詳細には、アンダーカットを備えたゴルフクラブヘッドを提供することにある。【解決手段】打球フェース、トップライン、ソール、バック、ヒールおよびトウを構成する本体を備えるゴルフクラブヘッドであって、前記バックが、キャビティーおよび凹部を備え、前記キャビティーが、前記フェースに対して実質的に垂直な方向に延び、前記凹部が、前記キャビティーから離れ、前記ソールに向って延び、前記凹部が、可変深さを持つ、上記ゴルフクラブヘッド。【選択図】図１
0003165194.tif 000002
【実用新案登録請求の範囲】
【請求項１】
ゴルフクラブヘッドであって、
打球フェースと、トップラインと、ソールと、バックと、ヒールと、トウとを構成する本体を有し、
前記バックが、キャビティーと凹部とを備え、前記キャビティーが、前記フェースに対して実質的に垂直な方向に延び、前記凹部が、前記キャビティーから前記ソールに向って前記キャビティーから離れるように延び、
前記凹部が、前記凹部のフロント壁とバック壁とによって構成され、
前記凹部が可変深さと、前記凹部のフロント壁とバック壁との間の角度によって定義される可変抜き勾配角とを持ち、
前記凹部が、第一の深さを備えるヒール部分と、第二の深さを備えるトウ部分と、第三の深さを備える、前記ヒールと前記トウ部分との中間の中央部分を備え、
前記第三の深さが、前記第一の深さ及び第二の深さよりも大きく、
前記凹部が、第一の抜き勾配角を備えるヒール部分と、第二の抜き勾配角を備えるトウ部分と、第三の抜き勾配角を備える、前記ヒール部分とトウ部分との中間にある中央部分とを備え、
前記第三の抜き勾配角が前記第一の抜き勾配角及び第二の抜き勾配角と異なる、
ゴルフクラブヘッド。
【請求項２】
前記第一の深さが前記第二の深さよりも大きい、請求項１記載のゴルフクラブヘッド。
【請求項３】
前記第一の深さが前記第二の深さよりも小さい、請求項１記載のゴルフクラブヘッド。
【請求項４】
前記第三の抜き勾配角が前記第一の抜き勾配角及び第二の抜き勾配角よりも大きい、請求項１記載のゴルフクラブヘッド。
【請求項５】
前記第一の抜き勾配角及び第二の抜き勾配角が、約５度〜約２５度であり、前記第三の抜き勾配角が約３０度〜約４５度である、請求項４記載のゴルフクラブヘッド。
【請求項６】
前記凹部がバック壁と後壁との間にあり、前記後壁はその中央部分が外方に湾曲されている、請求項１記載のゴルフクラブヘッド。
【請求項７】
前記クラブヘッドが、重心と、該重心を通って延びる垂直軸線を中心に測定された慣性モーメントとを有し、前記慣性モーメントが約２３００ｇ・ｃｍ２〜約３０００ｇ・ｃｍ２である、請求項１記載のゴルフクラブヘッド。
【請求項８】
前記凹部内に位置決めされたインサートを更に備え、該インサートが、
頂面と、
該頂面から前記凹部の底部に向って延びる脚部とを備える、
請求項１記載のゴルフクラブヘッド。
【請求項９】
該脚部が該底部まで延びていない、請求項８記載のゴルフクラブヘッド。
【請求項１０】
前記頂面が前記凹部の頂部と整合されている、請求項８記載のゴルフクラブヘッド。
【請求項１１】
前記凹部が、第一の幅を備えるヒール部分と、第二の幅を備えるトウ部分と、第三の幅を備える、前記ヒールと前記トウ部分との中間の中央部分とを備え、
前記第三の幅が前記第一の幅及び第二の幅よりも大きい、
請求項８記載のゴルフクラブヘッド。
【請求項１２】
前記凹部が、前記バックと後壁との間にあり、これらによって構成され、前記後壁が、その中央部分に切除部を備え、
前記インサートがその頂面に切除部を備え、前記インサートの切除部が、前記凹部の切除部と整合されている、
請求項１又は８記載のゴルフクラブヘッド。
【請求項１３】
前記バック上に表示を備え、前記切除部が前記表示と整合されている、請求項１２記載のゴルフクラブヘッド。
【請求項１４】
前記インサートが、これを貫通する穴を構成する、請求項８記載のゴルフクラブヘッド。
【請求項１５】
前記バック上に表示を備え、該穴が前記表示と整合されている、請求項１４記載のゴルフクラブヘッド。
【請求項１６】
前記インサートが、少なくとも一つの第二のウエイト用インサートを有する、請求項８記載のゴルフクラブヘッド。
【請求項１７】
前記インサートが、そのヒール部分に設けられた第一の二次的インサートと、前記インサートのトウ部分に設けられた第二の二次的インサートとを有する、請求項１６記載のゴルフクラブヘッド。
【請求項１８】
前記第一の二次的インサートが第一の質量を有し、前記第二の二次的なインサートが第二の質量を有し、前記第一の質量が、前記第二の質量よりも大きい、請求項１７記載のゴルフクラブヘッド。
【請求項１９】
前記第一の二次的インサートが第一の質量を有し、前記第二の二次的なインサートが第二の質量を有し、前記第一の質量が、前記第二の質量よりも小さい、請求項１７記載のゴルフクラブヘッド。
【請求項２０】
前記凹部が、上方部分と下方部分とを有し、前記インサートが、前記上方部分内に位置決めされている、請求項８記載のゴルフクラブヘッド。
【請求項２１】
前記下方部分が実質的に中空である、請求項２０記載のゴルフクラブヘッド。
【請求項２２】
前記上方部分が第一の体積を持ち、前記下方部分が第二の体積を持ち、前記第一の体積が前記第一の体積よりも小さい、請求項２０記載のゴルフクラブヘッド。
【請求項２３】
前記第二の体積が前記第一の体積の少なくとも２倍である、請求項２２記載のゴルフクラブヘッド。
【請求項２４】
前記クラブヘッドが、重心と、該重心を通って延びる垂直軸線を中心に測定した慣性モーメントとを有し、該慣性モーメントが、およそ２３００ｇ・ｃｍ２〜約３０００ｇ・ｃｍ２である、請求項８記載のゴルフクラブヘッド。
【考案の詳細な説明】
【技術分野】
【０００１】
本考案は、ゴルフクラブヘッドに関し、特に、アンダーカットを備えたゴルフクラブヘッドに関する。
【背景技術】
【０００２】
アイアンタイプのゴルフクラブは、一般にフロントフェース、すなわち、打球フェースと、トップラインと、ソールとを備える。このフロントフェースはゴルフボールと接触し、これをヒットする。多数のスコアライン又はグルーブがフェースに設けられ、ボールにスピンを付与するのに役立つ。トップラインは、一般にゴルファーに対して特定の外観を有し、ウエイトを付与するように、形作られている。ゴルフクラブのソールは、ゴルフのショットにとって特に重要である、というのは、これが、スイング中に地面と接触し、相互作用するからである。
アイアンタイプゴルフクラブの従来のセットにおいて、各クラブはシャフトを備え、シャフトの一端はクラブヘッドと結合され、他端はグリップに結合されている。クラブヘッドは、ゴルフボールをヒットするためのフェースを備える。このフェースと垂直面との間の角度はロフト角と呼ばれている。
【０００３】
このアイアンセットは、一般に２番〜９番と呼ばれるアイアンと、ピッチングウエッジとを含む。他のウエッジ、例えばロブウエッジ、ギャップウエッジおよびサンドウエッジも、場合によりこのセットに含められる。各アイアンは、通常、ロングアイアンからショートアイアンへと、各クラブヘッドのロフトが高くなるに従って、該セットを通じて減少するシャフト長さを持つ。クラブの長さは、クラブヘッドのロフト、重心位置と共に、インパクト時のボールの打ち出し状態に対する種々の性能特性を与え、ボール飛距離を決定付ける。飛距離は、一般的に、ロフト角の減少もクラブ長さの増大により、増大する。しかし、使用の難しさは、ロフト角の減少、クラブ長さの増大により高まってしまう。
アイアンタイプのゴルフクラブは、一般に２つのカテゴリー、すなわち、ブレード（ｂｌａｄｅｓ）タイプとキャビティーバック（ｃａｖｉｔｙ  ｂａｃｋｓ）タイプとに分けられる。ブレードタイプは伝統的なクラブであり、ソールからトップラインに至るまで、実質的に均一な外観を持つけれども、ソールからトップラインまでテーパするものもある。
【０００４】
ブレードデザインはスイートスポット（即ち、ゴルフボールをヒットした際に所定のゴルフショットをもたらすフェースの領域）が小さいので、その使用は比較的難しく、その結果、典型的には熟練ゴルファーのみによってしか使用されない。しかし、これらのクラブは、他のデザインよりもより長距離のゴルフショットをもたらすという利点を有している。更に、これらデザインは、典型的に比較的軟質の鍛造鋼で作られているので、ゴルファーが、その望み通りにゴルフボールを操作し、ゴルフショットを工夫することを可能とする。
キャビティーバックタイプは現代的な設計であり、打撃フェースと反対側の、クラブのバック部分に、中空部分又はキャビティーを設けることによって、クラブ質量の幾らかを周囲部に移動させる。これは、より大きなスウィートスポットを持つ、より許容度の高いクラブをもたらす。ウエイトを周囲部に移すことによって、クラブフェースのサイズを拡大することが可能となり、このことはまた、より一層大きなスウィートスポットをもたらす。キャビティーによって作り出された周囲部のウエイトは、クラブの慣性モーメントをまた高める。この慣性モーメントは、クラブのトルク、例えばオフセンターヒットによって生じるトルクに対する抵抗の程度、或いは、度合いである。これらクラブは、ブレードタイプよりも打撃し易く、その結果、熟練度の低いゴルファーや、ビギナーゴルファーによる使用が可能である。
他の公知のゴルフクラブは、クラブにウエイトを付加することによって、所望のバランス、或いは、慣性モーメントを達成している。これらのクラブは、典型的には、そのソールの底部表面の中央部にウエイト部材を付加している。
【考案の概要】
【０００５】
本考案は、アンダーカットを備えたゴルフクラブヘッドに関する。このクラブヘッドは、打球フェース、トップライン、ソール、バック、ヒールおよびトウを構成する本体を備える。前記バックはキャビティーを備え、前記キャビティーは、前記フェースに対して実質的に垂直な方向に延びている。前記キャビティー内には凹部が設けられ、前記凹部は、前記キャビティーから離れ、前記ソールに向って延びる。前記凹部は、このクラブヘッドの質量を、より一層前記クラブヘッドの周囲部に移動させる。これにより、前記クラブのスウィートスポットは拡大され、また慣性モーメントが増大し、クラブの許容度がより大きくなる。このゴルフクラブヘッドは、好ましくはアイアンタイプのゴルフクラブヘッドである。
【０００６】
質量を、更にクラブヘッドの周囲部に移すために、前記凹部は、可変深さを持つことが可能である。可変深さを持つ場合、前記凹部は、第一の深さを備えるヒール部分、第二の深さを備えるトウ部分、および前記ヒールと前記トウ部分との中間の、第三の深さを備える、中央部分を備える。前記第三の深さは、前記第一の深さ及び第二の深さよりも大きく、クラブヘッド質量を、その中心部から離れた、その周囲部に向けて移動させる。前記第一の深さ及び第二の深さは、実質的に等しくてもよく、また異なっていてもよい。ゴルファーが、フックボールを打つ傾向がある場合には、前記第一の深さを、前記第二の深さよりも大きくして、前記クラブのより多くの質量を、そのトウ側に配置する。ゴルファーが、スライスボールを打つ傾向がある場合には、前記第一の深さを、前記第二の深さよりも小さくして、前記クラブのより多くの質量を、そのヒール側に配置する。何れにしろ、前記第三の深さは、好ましくは約１．２７〜約２５．４ｍｍ（約０．０５〜約１インチ）である。この凹部の深さは、このセットのクラブ全体を通して変えることができる。より長いクラブは、その使用がより困難であるから、前記凹部は、ショートアイアンに対するよりも、ロングアイアンに対してより強調される。ショートアイアンに対する、好ましい凹部の深さは、約１．２７〜約１２．７ｍｍ（約０．０５〜約０．５インチ）であり、またミドルアイアンおよびロングアイアンに対する好ましい深さは、約５．０８〜約２５．４ｍｍ（約０．２〜約１インチ）である。
【０００７】
クラブヘッドの質量を周囲部に変位させる追加の手段には、可変の抜き勾配角（ｄｒａｆｔ  ａｎｇｌｅ）を提供することを含む。この抜き勾配角は、凹部のフロント壁とバック壁との間の凹部内の角度である。クラブヘッドのバックであるこれらの壁及び後壁が凹部を構成する。凹部のヒール部分は第一の抜き勾配角を備え、前記トウ部分は第二の抜き勾配角を備え、中央部分は第三の抜き勾配角を備える。前記第三の抜き勾配角は、前記第一の抜き勾配角及び第二の抜き勾配角よりも大きく、そのため前記クラブヘッドの質量は、その中心部分から、更に周囲部分に移され、該ヘッドの慣性モーメントが増大する。前記第一の抜き勾配角及び第二の抜き勾配角は、実質的に等しくてもよく、また異なっていてもよい。ゴルファーが、フックボールを打つ傾向がある場合には、前記第一の抜き勾配角を、前記第二の抜き勾配角よりも大きくして、前記クラブのより多くの質量を、そのトウ側に配置する。ゴルファーが、スライスボールを打つ傾向がある場合には、前記第一の抜き勾配角を、前記第二の抜き勾配角よりも小さくして、前記クラブのより多くの質量を、そのヒール側に配置する。何れにしろ、前記第一および第二抜き勾配角は、好ましくは約５度〜約２５度なる範囲、より好ましくは約２０度〜約２５度である、前記第三の抜き勾配角は、好ましくは約３０度〜約４５度なる範囲、より好ましくは約３５度〜約４０度である。
【０００８】
前記凹部は、更に前記中央部分とトウ部分との中間にあり、第四の抜き勾配角を持つ追加部分をも備えることができる。この第四の抜き勾配角は、好ましくは前記第三の抜き勾配角よりも大きい。この第四の抜き勾配角について好ましい範囲は、約３５度〜約６０度なる範囲、より好ましくは約３５度〜約５０度である。
前記後壁は、その中心部において外方に湾曲していてもよく、これは抜き勾配角を変動させた場合と同様な効果を奏する。
前記クラブヘッドは、可変凹部の深さおよび可変凹部の抜き勾配角を持ち、その結果、前記クラブヘッドの中心からその周囲部に、質量を移動するための多数の手段がもたらされる。
質量を更に前記クラブヘッド周囲部に移すために、前記後壁は、その中央部分に切除部を備えることができる。表示、例えばロゴまたは他の同定用マークを、前記クラブヘッドのバック部分に設けることができる。この切除部は、好ましくは前記切除部を通して前記表示を見ることができるように、前記表示と整合されている。この切除部はあらゆる所望の形状を採ることができる。好ましいその形状は、例えば円形、楕円形、卵形、三角形、および台形を備える。この切除部は、完全な形状を持つ必要はない。寧ろ、この切除部は、ある形状の一部のみを採ることができる。例えば、前記切除部は少なくとも一部が台形であって、前記切除部がシェブロンの外観を採ることもできる。好ましい円形の形状は、ゴルフボールの直径と実質的に等しい直径を持ち、前記直径は約４．２７ｃｍ（約１．６８インチ）であっても良い。
【０００９】
ウエイト部材、減衰部材、又は、メダリオンのようなインサートを凹部内に位置決めしても良い。このインサートは、接着剤及び／又は機械的な締結具を用いて凹部内に固定することができる。オフセンターヒットの際に発生する振動を備える、クラブヘッドの振動を減衰する、好ましい減衰部材は、ウレタンおよびゴムを備える。このインサートは、前記凹部を完全に満たすことができ、あるいはその一部のみを満たすことも可能である。前記インサートは、頂面と、該頂面から前記凹部の底部に向って延びた脚部とを備えた、本体を備えることができる。該脚部は、前記凹部の底部に至るまでの全体に渡り延びていても、またそうでなくても良い。前記インサートは、前記凹部の上部と整合されている。
前記インサートは、使用することになる前記凹部に合うように適合される。前記凹部が可変深さを持つ場合、前記インサートは、前記凹部の深さに応じて可変深さを持つであろう。前記凹部の深さに関する上記議論に従えば、このインサートは、前記凹部の第一の深さに相当する第一の深さを備えるヒール部分、前記凹部の第二の深さに相当する第二の深さを備えるトウ部分、および前記凹部の第三の深さに相当する第三の深さを備える、前記ヒール部分と前記トウ部分との中間における中央部分を備える。同様に、前記凹部が可変抜き勾配角を持つ場合、前記インサートは、前記凹部の幅に相当する、可変幅を持つであろう。ここで、前記凹部の幅は、前記凹部抜き勾配角の関数である。前記凹部の抜き勾配角に関する上記議論に従えば、このインサートは、前記凹部の第一の幅に相当する第一の幅を備えるヒール部分、前記凹部の第二の幅に相当する第二の幅を備えるトウ部分、および前記凹部の第三の幅に相当する第三の幅を備える、前記ヒール部分と前記トウ部分との中間における、中央部分を備える。前記凹部が切除部を備える場合、前記インサートは、対応する切除部を持ち、結果的に前記インサートは、前記後壁の頂面と、実質的に直線状に整列する。
【００１０】
表示が、前記クラブヘッドの前記バック部分に与えられている場合、前記インサートは、これを貫通する穴を備えることができる。この穴は、この穴を通して前記表示を見ることができるように、前記表示と整合されている。あるいはまた、前記インサートは、実質的に半透明であって、前記表示は穴を必要とすることなしに、前記インサートを介してみることができる。もう一つの変法として、前記インサートは、その中に刻み目を備えることができ、また第二のインサートを、該刻み目内で、前記インサートに取り付けることができる。この場合、前記第二のインサートは、その上に表示を備えることができる。この第二のインサートをしっかりと所定の位置に保持するために、前記インサートは、カウンタボアを備えることができ、また前記第二のインサートを、該カウンタボア内で、前記インサートに取り付けることができる。この第二のインサートは、目違い継ぎ配置等で、カウンタボア内の適所に係止されるようになっているのが好ましい。
【００１１】
プレートは、インサートに、好ましくはインサートの頂部に取り付けられる。プレートは、細長いスロットのような穿孔を有することができる。これらの穿孔は、これらがゴルフクラブヘッドの長手方向軸線と実質的に平行であり、これらの穿孔がゴルフクラブヘッドの長手方向軸線に対して実質的に垂直に、或いは、ゴルフクラブヘッドの長手方向軸線に対して傾くように、配置される。穿孔が含まれている場合には、前記インサートおよび該プレートは、好ましくは前記インサートを、該穿孔を介して見ることができるように、異なる色を持つ。このプレートは、場合により、その上に表示を備えることができる。該プレートは、少なくとも一部を、一種またはそれ以上の金属、プラスチック、ウレタン、または複合体で作ることができる。あるいはまた、前記インサートは、第一インサート層および第二インサート層を備える、多層インサートである。これらインサート層は、異なる材料で作られたものであり得、また好ましくは異なる剛性を持つことができる。この構成は、これらインサート層の一つが、振動を吸収することを可能とし、また他方のインサート層は、前記ゴルフクラブに硬い感触を与えるのに役立つ。これらの層は、あらゆる所定の様式で配置でき、好ましい配置は、より弾性の高い層を前記凹部のより低い部分に配置し、より剛性の高い層を、より高弾性の層上に取り付けることである。あるいはまた、これら層の配置を、逆にすることも可能である。前に論じた如く、該上部層も、その中に穿孔を持つことができる。
【００１２】
前記インサートは、１またはそれ以上の二次的なインサート、例えばウエイト部材を、その中に備えることができる。一配列においては、ウエイト部材を、前記インサートの中心部分に配置する。別の配列では、第一のウエイト部材を、前記インサートのヒール部分に配置し、第二のウエイト部材を、前記インサートのトウ部分に配置する。前記第一および第二ウエイト部材は、実質的に同一の質量を持つものであり得、あるいはこれらは異なる質量を持つものであっても良い。ゴルファーがフックボールを打つ傾向がある場合、前記トウ部分におけるウエイト部材は、前記ヒール部分におけるウエイト部材よりも大きな質量を持つものであっても良い。ゴルファーがスライスボールを打つ傾向がある場合、前記ヒール部分におけるウエイト部材は、前記トウ部分におけるウエイト部材よりも大きな質量を持つものであっても良い。
前記凹部は、上方部分と下方部分とに分けることができ、前記インサートは、該上方部分に配置され、該下方部分は中空状態に維持される。これら上方部分および下方部分の相対的な体積は、種々の感触を持つクラブを製作するように設計できる。好ましい配列においては、該上方部分の体積は、該下方部分の体積よりも小さい。望ましくは、該下方部分の体積は、該上方部分の体積の少なくとも２倍であっても良い。該上方部分の体積は、その下方の境界に沿った、１またはそれ以上の棚部を備えていて、該上方部分内での、前記インサートの維持を容易にすることができる。
【図面の簡単な説明】
【００１３】
【図１】本考案のゴルフクラブヘッドを示す図である。
【図２】図１に示すゴルフクラブヘッド全体の、幾つかの断面を示す図である。
【図３】切除部の特徴を例示する、本考案のゴルフクラブを示す図である。
【図４】図３に示したゴルフクラブの平面図である。
【図５】インサートを持つ、本考案のゴルフクラブを示す図である。
【図６】本考案のゴルフクラブと共に使用するための、インサートを示す図である。
【図７】インサートを持つ、本考案のゴルフクラブを示す図である。
【図８】本考案のゴルフクラブと共に使用するための、カウンタボアおよび第二のインサートを備える、インサートを示す図である。
【図９】本考案のゴルフクラブと共に使用するための、二次的なインサートを備える、インサートを示す図である。
【図１０】多層インサートを持つ、本考案のゴルフクラブヘッドを示す図である。
【図１１】本考案のゴルフクラブヘッドの中央部分を通る、断面図である。
【考案を実施するための形態】
【００１４】
以下、本考案を、添付図を参照しつつ説明する。該添付図において、類似する参照番号、文字は同様な要素を表す。
実施例における以外、または特に述べない限り、あらゆる数値範囲、量、値および百分率、例えば材料の量、慣性モーメント、重心の位置、ロフト角、および本明細書の以下の部分における他の物は、「約」なる用語が、値、量または範囲に表現上現れない場合においてさえ、「約」なる用語が先行するものとして読むべきである。従って、逆に指定されていない場合には、以下の本明細書および添付した実用新案登録請求の範囲に示された数値パラメータは、本考案により得られたと考えられる所定の性質に依存して可変可能性のある、近似値である。少なくとも、および実用新案登録請求の範囲に等価な教義の適用範囲を限定する意図なしに、各数値パラメータは、少なくとも、報告された有意な数値の値に照らして、また通常の切り上げ、切捨て技術の適用によって、解釈されるべきである。
【００１５】
本考案の広義の範囲を示す数値範囲およびパラメータが、近似値であるにも拘らず、特定の実施例に示された数値は、できる限り正確であるように報告されている。しかしながら、あらゆる数値は、必然的に、各テスト測定に見られる標準偏差に起因する、ある程度の誤差を、元々含んでいる。更に、可変範囲を備える数値範囲が、ここに示された場合には、表示された数値を備える、これら数値のあらゆる組合せが、使用可能であることを意図している。
図１は、本考案による第一のゴルフクラブヘッド１を示す。ゴルフクラブヘッド１は、打球フェース１１、トップライン１２、ソール１３、バック１４、ヒール１５およびトウ１６を構成する本体１０を備える。このバック１４は、キャビティー２１および凹部２２を備える。キャビティー２１は、前記フェース１１に対して実質的に垂直な方向に延び、凹部２２は、キャビティー２１から離れ、ソール１３に向って延びる。好ましくは、このクラブヘッド１は、アイアンタイプのゴルフクラブヘッドである。
【００１６】
凹部２２は、クラブヘッド１の中心位置から材料を除去し、そのためにクラブヘッド１の質量を、より一層その周囲部に移動させ、より大きな、前記クラブヘッドの重心を通る垂直軸線を中心に測定した慣性モーメント（ＭＯＩ）を与え、前記クラブヘッドのスウィートスポットのサイズを大きくする。慣性とは、ある外力が作用しない限り、ある物体が静止状態または均一な運動を維持するという、物質の特性である。ＭＯＩは、与えられた軸の周りの角加速度に対する物体の抵抗の尺度であり、また該物体中の各質量成分と該軸から該質量成分までの距離の二乗との積の和に等しい。従って、該軸からの距離の増加に伴って、該ＭＯＩも増大し、前記クラブのオフセンターヒットを許容する。前記クラブヘッド周囲部への、質量の移動または再配列は、該スウィートスポットを拡大し、より許容度の高いクラブを与える。この効果を高めるために、凹部２２は、可変深さを持つ。凹部２２は、第一の深さを備えるヒール部分２２ａ、第二の深さを備えるトウ部分２２ｂ、およびこれらヒールおよびトウ部分２２ａ、２２ｂの中間にあり、第三の深さを備える中央部分２２ｃを備える。前記第三の深さは、前記第一の深さ及び第二の深さよりも大きく、より多くの質量をクラブヘッド１の周囲部分に移動させる。前記第一の深さ及び第二の深さは、実質上等価であっても良い。あるいはまた、凹部２２の相対的な深さは、異なっていてもよい。第一の変形において、前記第一の深さは、前記第二の深さよりも深く、そのためにより多くの質量がトウ１６側に置かれる。これは、クラブヘッドの重心をトウ１６方向に偏らせ、クラブヘッドの閉じを困難にし、早すぎるまたはインパクトにおいて過度にクラブヘッドが閉じる可能性を減じるので、フックボールを打つ傾向のあるゴルファーにとって望ましいことであっても良い。第二の変形において、前記第一の深さは、前記第二の深さよりも浅く、そのためにより多くの質量がヒール１５側に置かれる。これは、クラブヘッドの重心をヒール１５方向に偏らせ、クラブヘッドの閉じを容易にし、インパクトにおいてクラブヘッドが開いたままとなる可能性を減じるので、スライスボールを打つ傾向のあるゴルファーにとって望ましいことであっても良い。
【００１７】
前記第三の深さは、好ましくは約１．２７〜約２５．４ｍｍ（約０．０５〜約１インチ）である。上記の如く、ゴルフクラブを使用する困難さは、ロフト角の減少およびクラブ長さの増大と共に高くなる。換言すれば、使用の困難さは、ショートアイアンからロングアイアンに移行するにつれて増大する。従って、使用の困難さの増大と共に、増大する変化を与えることが望ましい可能性がある。凹部２２は、クラブセット内の各クラブまたは該セット内のクラブの種々の組について、様々な形状を与えることができる。この例において、凹部２２は、ショートアイアンに対するよりも、ロングアイアンに対してより強調される。ショートアイアンに対して好ましい深さは、約１．２７〜約１２．７ｍｍ（約０．０５〜約０．５インチ）であり、またミドルおよびロングアイアンに対して好ましい深さは、約５．０８〜約２５．４ｍｍ（約０．２〜約１インチ）である。
【００１８】
また、凹部２２は、好ましくは該スウィートスポットを拡大し、より許容度の高いクラブを製造するための付随的な態様として、変更可能な抜き勾配角αを持つ。この抜き勾配角αは、凹部２２を構成する、クラブヘッドのバック１４と後壁１７との間の、凹部２２内の角度である。ヒール部分２２ａは、第一の抜き勾配角を備え、トウ部分２２ｂは、第二の抜き勾配角を備え、中央部分２２ｃは、第三の抜き勾配角を備え、ここで前記第三の抜き勾配角は、前記第一の抜き勾配角及び第二の抜き勾配角よりも大きい。換言すれば、前記凹部２２の中央部分は、前記ヒールおよびトウ部分よりも幅が大きい。これは、クラブヘッド１の質量を、該ヘッドの中央領域からその周囲部分に、更に移動させ、そのＭＯＩを増大する。前記第一の抜き勾配角及び第二の抜き勾配角は、実質上等しくても良い。あるいはまた、凹部２２の相対的な抜き勾配角は、異なっていても良い。第一の変更において、前記第一の抜き勾配角は、前記第二の抜き勾配角よりも大きく、より多くの質量をトウ１６方向に移動させる。これは、クラブヘッドの重心をトウ１６方向に偏らせ、クラブヘッドの閉じを困難にし、早すぎるまたはインパクトにおいて過度にクラブヘッドが閉じる可能性を減じるので、フックボールを打つ傾向のあるゴルファーにとって望ましいことであっても良い。第二の変更において、前記第一の抜き勾配角は、前記第二の抜き勾配角よりも小さく、より多くの質量をヒール１５の方向に移動させる。これは、クラブヘッドの重心をヒール１５方向に偏らせ、クラブヘッドの閉じを容易にし、インパクトにおいてクラブヘッドが開いたままとなる可能性を減じるので、スライスボールを打つ傾向のあるゴルファーにとって望ましいことであっても良い。前記第一の抜き勾配角及び第二の抜き勾配角は、好ましくは約５度〜約２５度なる範囲、より好ましくは約２０度〜約２５度である、前記第三の抜き勾配角は、好ましくは約３０度〜約４５度なる範囲、より好ましくは約３５度〜約４０度である。
【００１９】
場合により、凹部２２は、中央およびトウ部分２２ｂ、２２ｃの中間にある、例えば断面Ｄ−Ｄ近傍にある追加部分を備える。この追加部分は、第四の抜き勾配角を有し、また好ましくはこの第四の抜き勾配角は、前記第三の抜き勾配角よりも大きい。該第四の抜き勾配角に関して好ましい角度は、約３５度〜約６０度なる範囲、およびより好ましくは約３５度〜約５０度である。
図２は、ゴルフクラブヘッド１の幾つかの断面図を示すものである。これら断面は、クラブヘッドのヒール部分２２ａから、その中央部分２２ｃを介して、該ヘッドのトウ部分２２ｂまでの、クラブヘッド１全体に渡る、多数の位置について取ったものである。断面Ａ−Ａは、クラブヘッド１のヒール部分２２ａを通るものであり、断面Ｆ−Ｆは、クラブヘッド１のトウ部分２２ｂを通るものであり、また断面Ｃ−ＣおよびＤ−Ｄは、その中央部分２２ｃを通るものである。これらの断面は、凹部２２を介して、クラブヘッド１から除去される質量を表しており、前記トウおよびヒール領域に対して、該中央領域からより多くの材料が除去されている。
【００２０】
後壁１７は、その中に切除部を備えることができる。図３は、この特徴を示す、本考案のゴルフクラブを図示したものである。図示したように、後壁１７は、その中央部分からの切除部２５を備える。この切除部２５は、クラブヘッド１の中心から、質量を更に除去して、更にクラブヘッド質量をその周囲部分に偏らせる。このクラブヘッド１は、表示２７を、好ましくはクラブヘッド１のバック１４部分の上に備えることができる。この表示２７は、例えばロゴまたは他の同定用のマークであっても良い。表示２７を備える場合、前記表示および切除部２５は、好ましくはこの切除部２５を介して、表示２７を見ることができるように、整列されている。この切除部２５は、事実上任意の形状をとることができる。意図している形状は、円形、楕円形、卵形、三角形および台形を備える。この切除部２５が、完全な形状を持つ必要が無いことに注意すべきである。寧ろ、この切除部２５は、上記形状の一部のみをとることができる。例えば、切除部２５は、この切除部がシェブロンの外観を取るように、少なくとも一部が台形であっても良い。好ましい円形形状は、実質的にゴルフボールの直径に等しい、直径を持ち、該ゴルフボールの直径は、約４．２７ｃｍ（約１．６８インチ）であっても良い。
後壁１７は、その中心部において外方に湾曲していて、上で論じた増大された中央抜き勾配角と同様に、周囲部の質量増加率を高めることができる。図４は、図３に示したゴルフクラブの平面図であり、湾曲した後壁１７を含んでいる。後壁１７は、その中心部において外方に湾曲されている。前記トウおよびヒール部分は、前記中央部分程には外方に湾曲していないので、より多くの材料が存在し、従ってより多くの質量が、クラブヘッド１の前記ヒールおよびトウ部分に存在し、結果として前記クラブヘッドのＭＯＩを高めている。
【００２１】
前記クラブヘッドの重心を通る垂直軸線に関する該ＭＯＩは、好ましくは約２３００ｇ・ｃｍ２を越える。このＭＯＩ値の好ましい範囲は、約２３００ｇ・ｃｍ２〜約３０００ｇ・ｃｍ２なる範囲を備える。このＭＯＩ値は、恐らくクラブセット全体を通して、クラブヘッド毎に可変であろう。
図５は、凹部２２内に配置されたインサート３０を備える、本考案のゴルフクラブ１を図示したものである。このインサート３０は、凹部２２を完全に満たしていても、また僅かに部分的に満たしていても良い。このインサート３０は、接着剤によりクラブヘッド１に結合することができる。機械的な締結具を、単独でまたは接着剤との組合せで使用して、インサート３０をクラブヘッド本体１０に結合することも可能である。例示の締結具は、ネジとボルトとを備える。これを使用する場合、該機械的締結具は、好ましくは凹部２２の底部から上方に延びる。インサート３０は、あらゆる所定の型のインサート、例えばウエイト部材、減衰部材、メダリオン、またはこれら例の２またはそれ以上の組合せであっても良い。減衰部材の使用は、クラブヘッド１における振動、例えば中心以外でボールをヒットした際に発生するような振動を減衰するのに有用であり、また前記クラブの感触および性能を高める。好ましい減衰部材は、ウレタンおよびゴムを包含する。メダリオンは、ブランドおよびモデル情報を与えるのに有用である。該メダリオンは、プラスチック、例えば同時成型されたプラスチック、またはステンレススチール等の金属材料、あるいはあらゆる他の適当な材料または組成物で作ることができる。
【００２２】
図６は、インサート３０の好ましい形状を示す図である。このインサート３０は、主本体部分３１および本体３１から延びている１またはそれ以上の脚部３２を備える。図示した態様では、３本の脚部３２が示されているが、任意の数の脚部３２を備えることができる。主本体部分３１は、好ましくは凹部２２の上部と整合している、頂面３３を備える。脚部３２は、頂面３３から、下方に離れていくように延びる脚部３２は、凹部２２までの全体に渡り延びていても、またそうでなくても良い。脚部３２は、随意の部材であり、インサート３０は、また本体部材３１のみで構成されていても良い。インサート３０は、また凹部２２の底部表面と一致するように形成された、下部本体を備えることもできる。この下部本体は、凹部２２の長さ全体、またはその一部のみに沿って延びていても良い。
【００２３】
インサート３０は、好ましくは使用されるはずの、凹部２２に従って形成される。凹部２２が可変深さを持つ場合、インサート３０は、前記凹部の深さに対応して、可変深さを持つであろう。前記凹部の深さに関する上記議論に従えば、インサート３０は、前記凹部の第一の深さに相当する第一の深さを備えるヒール部分、前記凹部の第二の深さに相当する第二の深さを備えるトウ部分、および前記ヒールおよびトウ部分の中間に位置し、前記凹部の第三の深さに相当する第三の深さを備える中央部分を備える。同様に、凹部２２が可変抜き勾配角を持つ場合、インサート３０は、前記凹部の幅に相当する、可変幅を持つであろう。この凹部の幅は、前記凹部抜き勾配角の関数である。前記凹部の抜き勾配角に関する上記議論に従えば、インサート３０は、前記凹部の第一の幅に相当する第一の幅を備えるヒール部分、前記凹部の第二の幅に相当する第二の幅を備えるトウ部分、および前記ヒールおよびトウ部分の中間に位置し、前記凹部の第三の幅に相当する第三の幅を備える中央部分を備える。図７に示したように、凹部２２が切除部２５を持つ場合には、インサート３０は対応する切除部３５を持ち、結果としてインサート３０は、後壁１７の頂面と実質的に整合した状態にある。
あるいはまた、インサート３０は、後壁１７を写すように配置されてはいない。例えば、後壁１７が切除部２５を備える場合、インサート３０は、対応する切除部を含まずに形成でき、その結果インサート３０は、後壁１７上の、切除部２５の上部まで延びていても良い。この態様において、バック部分１４は、好ましくは切除部２５と整合状態にある表示２７を備え、インサート３０は、好ましくは実質上半透明である。このことは、表示２７を、インサート３０を介して見ることを可能とし、結果として新規な外観を持つゴルフクラブを与える。
【００２４】
インサート３０は、これを貫通する穴を構成できる。このことは、クラブヘッド本体１０が、ロゴ等の表示をその上に持つ場合に望ましいことであっても良い。該穴は、好ましくは前記表示と整合状態にあり、結果的に、この穴を介して、前記表示を見ることができる。あるいは、インサート３０は、その中に刻み目（ｉｎｄｅｎｔａｔｉｏｎ）を備えることができ、また第二のインサートが、該刻み目内でインサート３０と結合することができる。この場合、この第二のインサートは、その上に表示を備えることができる。この第二のインサートを、所定の位置にしっかりと保持するために、インサート３０は、カウンタボアを備えることができ、また前記第二のインサートは、このカウンタボア内でインサート３０と結合することができる。この第二のインサートは、好ましくは該カウンタボア内の所定の位置に、適当に固定される。該カウンタボア内での前記第二のインサートの、好ましい固定方法を、図８に示す。図８は、その中にカウンタボア３７を備えた、インサート３０を示す。カウンタボア３７は、その中に溝３８を備える。第二のインサート４０は、カウンタボア３７内に位置している。この第二のインサート４０は、溝３８をしっかりと嵌合し、インサート４０を、インサート３０内で固定するように形成されている、タング（ｔｏｎｇｕｅ）４１を備える。インサート３０用の材料は、好ましくは溝３８に挿入できるように、柔軟である。好ましくは、インサート３０用の材料は、約８０未満のショアＤ硬さを持つ。
【００２５】
場合により、インサート３０、好ましくはこのインサート３０の頂面３３と、プレートとを結合することができる。このプレートは、例えば細長いスロットを持つように、穿孔されていてもよい。穿孔を備える場合、インサート３０および該プレートは、好ましくは異なる色を有していて、該穿孔を介して、インサート３０が見えるようになっている。場合によっては、該プレートは、その上に表示を備えることができる。このプレートは、少なくとも一部を、１又は２以上の金属、プラスチック、ウレタン、または複合体で作ることができる。
図９は、本考案のゴルフクラブと共に使用するための、二次的なインサート４５を備えるインサート３０を示す。３つの、この種の二次的なインサート４５が、図示した態様に示されているが、任意の数の二次的なインサート４５を備えることができる。これら二次的なインサート４５は、ウエイト部材であっても良い。これらのウエイト部材は、所定の質量を持つものであり得、また好ましくはクラブヘッド１の比重よりも大きな比重を持つ。
【００２６】
ウエイト部材４５は、所望に応じて、インサート３０内に設けることができる。第一の好ましい構成は、インサート３０の中央部分、および好ましくはその底部方向に配置されたウエイト部材４５を備える。この第一の構成は、前記クラブヘッドの重心を下げるのに役立つ。
第二の好ましい構成は、インサート３０のヒール部分における第一のウエイト部材４５およびインサート３０のトウ部分における第二のウエイト部材４５を備える。このクラブヘッドの重心を下げることに加えて、この第二の構成は、前記クラブヘッドのＭＯＩをも増大する。この第二の構成において、前記第一および第二のウエイト部材の質量は、実質的に同一であり得、あるいはこれらは異なっていても良い。ゴルファーがスライスボールを打つ傾向を示す場合には、望ましくは、トウ部分のウエイト部材よりも大きな質量を持つ、ヒール部分のウエイト部材を設けることができる。逆に、ゴルファーがフックボールを打つ傾向を示す場合には、望ましくは、トウ部分のウエイト部材よりも小さな質量を持つ、ヒール部分のウエイト部材を設けることができる。
【００２７】
もう一つの態様において、インサート３０は、多層インサートである。インサート３０は、第一の剛性を持つ第一の材料製の第一のインサート層、および第二の剛性を持つ第二の材料製の第二のインサート層を備える。好ましくは、前記第一のインサート層は、フェース１１のリア側におけるバック１４と結合しており、また前記第二のインサート層は、前記第一インサート層と結合している。前記第二インサート層は、前記第一インサート層と、その任意の部分に沿って結合していても良いが、好ましくは前記第一インサート層の頂面３３と結合している。前記第二インサート層は、その中に穿孔を備えることができ、該穿孔は細長いスロット形状にあって、前記第一インサート層を、該スロットを介して見ることができる。該細長いスロットは、ゴルフクラブヘッド１の長手方向軸線に対して実質的に平行に整列された状態にあり、ゴルフクラブヘッド１の長手方向軸線に対して実質的に直交関係にあり、あるいはゴルフクラブヘッド１の長手方向軸線に対して傾斜した状態にあってよい。前記第一および第二インサート層は、好ましくは実質上異なる色を持つ。これらのインサート３０は、ダブルショット製法により作ることができ、またウレタン、ポリウレタン、または任意の他の所定の材料で製造でき、ここで前記インサート３０は、二重射出法で作られる。グレース（Ｇｒａｃｅ）等の米国特許第５，９２４，９３９号（その開示事項全体を、本考案の参考とする）は、本考案と共に利用可能な追加のインサートを開示している。図１０は、多層インサートを備える、ゴルフクラブヘッド１を示す。前記第二インサート層は、その中に穿孔を備え、該穿孔は、前記第一インサート層を見ることを可能とする。
【００２８】
前記第一および第二インサート層の相対的な剛性は、前記クラブの感触に影響を与える。前記第一の剛性は、好ましくは前記第二の剛性よりも低い。この構成は、前記第一インサート層が、振動を吸収することを可能とし、一方で前記第二インサート層は、前記ゴルフクラブに硬い感触を与えるのに役立つ。あるいはまた、前記第一の剛性は、前記第二の剛性よりも大きく、また前記第一インサート層は、主として安定性を与え、一方前記第二インサート層は、主として振動を吸収する。
図１１は、本考案のゴルフクラブヘッド１の中央部分を介して見た、断面図である。この態様において、凹部２２は、第一の体積を持つ上方部分５０、および第二の体積を持つ下方部分を備える。インサート３０は、この上方部分５０内に位置し、また好ましくはこの上方部分５０を実質的に満たしている。この上方部分５０内でのインサート３０の配置を容易にするために、前記クラブヘッドは、場合により１またはそれ以上の棚部５１を、その下方境界部に備えることができる。これらの棚部５１は、インサート３０を配置することができ、またインサート３０を結合することのできるシートを与える。
【００２９】
好ましくは、下方部分５５は、実質的に中空状態にある。中空の下方体積を設けることは、より大きなスウィートスポットを持つ、より許容度の高いクラブを製造する上で役立つ。この第二の体積は、好ましくは前記第一の体積よりも大きく、またより好ましくは前記第一の体積のほぼ二倍である。下方部分５５にとって好ましい体積は、約１．６４〜６．５６ｃｍ３（約０．１〜約０．４インチ３）なる範囲、より好ましくは約２．４６〜４．１０ｃｍ３（約０．１５〜約０．２５インチ３）である。上方部分５０の好ましい体積は、約１．６４〜３．２８ｃｍ３（約０．１〜約０．２インチ３）なる範囲、より好ましくは約２．２９〜２．４６ｃｍ３（約０．１４〜約０．１５インチ３）である。これらの体積は、恐らくゴルフクラブセット全体を通して、クラブ毎に可変であろう。
以上、本考案の好ましい態様を記載してきたが、これらは、単に例としてのみ提示されたものであり、本考案を限定するために提示されたものではないものと、理解すべきである。当業者には、形状および細部における様々な変更が、本考案の精神並びに範囲を逸脱することなしに行うことが可能であることは、明白であろう。従って、本考案は、上記の例示的な態様によって、制限されるべきではなく、上記実用新案登録請求の範囲およびその等価物によってのみ規定されるべきである。
【００３０】
本考案は以下の態様をとりうる。
１．ゴルフクラブヘッドであって、
打球フェースと、トップラインと、ソールと、バックと、ヒールと、トウとを構成する本体を有し、
前記バックが、キャビティーと凹部とを備え、前記キャビティーが、前記フェースに対して実質的に垂直な方向に延び、前記凹部が、前記キャビティーから離れ、前記ソールに向って延び、
前記凹部が可変深さを持つ、
ゴルフクラブヘッド。
２．前記凹部が、第一の深さを備えるヒール部分と、第二の深さを備えるトウ部分と、第三の深さを備える、前記ヒールと前記トウ部分との中間の中央部分を備え、
前記第三の深さが、前記第一の深さ及び第二の深さよりも大きい、
態様１記載のゴルフクラブヘッド。
３．前記第一の深さ及び第二の深さが実質的に等しい、態様２記載のゴルフクラブヘッド。
４．前記第一の深さが前記第二の深さよりも大きい、態様２記載のゴルフクラブヘッド。
５．前記第一の深さが前記第二の深さよりも小さい、態様２記載のゴルフクラブヘッド。
６．前記第三の深さが、約１．２７〜約２５．４ｍｍ（約０．０５〜約１インチ）である、態様２記載のゴルフクラブヘッド。
７．前記ゴルフクラブヘッドがショートアイアンタイプのゴルフクラブヘッドであり、前記第三の深さが約１．２７〜約１２．７ｍｍ（約０．０５〜約０．５インチ）である、態様６記載のゴルフクラブヘッド。
８．前記ゴルフクラブヘッドが、ミドルアイアンタイプ又はロングアイアンタイプのゴルフクラブヘッドであり、前記第三の深さが、約５．０８〜約２５．４ｍｍ（約０．２〜約１インチ）である、態様６記載のゴルフクラブヘッド。
９．前記凹部が可変抜き勾配角を持つ、態様１記載のゴルフクラブヘッド。
１０．前記凹部が、第一の抜き勾配角を備えるヒール部分と、第二の抜き勾配角を備えるトウ部分と、第三の抜き勾配角を備える、前記ヒール部分とトウ部分との中間にある中央部分とを備え、
前記第三の抜き勾配角が前記第一の抜き勾配角及び第二の抜き勾配角よりも大きい、態様９記載のゴルフクラブヘッド。
１１．前記第一の抜き勾配角及び第二の抜き勾配角が実質的に等しい、態様１０記載のゴルフクラブヘッド。
１２．前記第一の抜き勾配角及び第二の抜き勾配角が、約５度〜約２５度である、前記第三の抜き勾配角が約３０度〜約４５度である、態様１０記載のゴルフクラブヘッド。
１３．前記第一の抜き勾配角及び第二の抜き勾配角が約２０度〜約２５度である、前記第三の抜き勾配角が約３５度〜約４０度である、態様１２記載のゴルフクラブヘッド。
１４．前記凹部が、前記中央部分とトウ部分との中間にあり、第四の抜き勾配角を持つ追加部分を備える、態様１０記載のゴルフクラブヘッド。
１５．前記第一の抜き勾配角及び第二の抜き勾配角が約５度〜約２５度であり、前記第三の抜き勾配角が約３０度〜約４５度であり、該第四の抜き勾配角が約３５度〜約６０度である、態様１４記載のゴルフクラブヘッド。
１６．前記ヒール部分が第一の深さを備え、前記トウ部分が第二の深さを備え、前記中央部分が第三の深さを備え、
前記第三の深さが、前記第一の深さ及び第二の深さよりも大きい、態様１０記載のゴルフクラブヘッド。
１７．前記凹部が、前記バックと後壁との間にあり、これらによって構成される、態様１記載のゴルフクラブヘッド。
１８．前記後壁がその中央部分に切除部を備える、態様１７記載のゴルフクラブヘッド。
１９．前記バック上に表示を備え、前記切除部が前記表示と整合されている、態様１８記載のゴルフクラブヘッド。
２０．前記切除部は、少なくとも一部が、円形、楕円形、卵形、三角形、及び台形からなる群から選択された形状を持つ、態様１８記載のゴルフクラブヘッド。
２１．前記切除部が、ゴルフボールの直径と実質的に等しい直径を持つ、実質的な円形形状を有する、態様１８記載のゴルフクラブヘッド。
２２．前記直径が約４．２７ｃｍ（約１．６８インチ）である、態様２１記載のゴルフクラブヘッド。
２３．前記後壁は中央部分が外方に湾曲されている、態様１７記載のゴルフクラブヘッド。
２４．前記クラブヘッドが、重心と、該重心を通って延びる垂直軸線を中心に測定した、およそ２３００ｇ・ｃｍ２を越える慣性モーメントとを持つ、態様１記載のゴルフクラブヘッド。
２５．前記慣性モーメントが約２３００ｇ・ｃｍ２〜約３０００ｇ・ｃｍ２である、態様２４記載のゴルフクラブヘッド。
２６．打球フェースと、トップラインと、ソールと、バックと、ヒールと、トウとを構成する本体を備え、
前記バックがキャビティーと凹部とを備え、前記キャビティーが、前記フェースに対して実質的に垂直な方向に延び、前記凹部が、前記キャビティーから離れ、前記ソールに向って延び、
前記凹部内に位置決めされたインサートを備える、
ゴルフクラブヘッド。
２７．前記インサートが減衰部材である、態様２６記載のゴルフクラブヘッド。
２８．前記インサートは、少なくとも一部が、ウレタンまたはゴムで作られている、態様２６記載のゴルフクラブヘッド。
２９．前記インサートが、頂面を備え、該頂面から前記凹部の底部に向かって延びる脚部を備える、態様２６記載のゴルフクラブヘッド。
３０．該脚部が該底部まで延びていない、態様２９記載のゴルフクラブヘッド。
３１．前記インサートが少なくとも３つの脚部を備える、態様２９記載のゴルフクラブヘッド。
３２．前記頂面が前記凹部の頂部と整合されている、態様２９記載のゴルフクラブヘッド。
３３．前記凹部が、第一の幅を備えるヒール部分と、第二の幅を備えるトウ部分と、第三の幅を備える、前記ヒールと前記トウ部分との中間の中央部分とを備え、
前記第三の幅が前記第一の幅及び第二の幅よりも大きい、
態様２６記載のゴルフクラブヘッド。
３４．前記インサートが、前記凹部の第一の幅に対応する第一の幅を備えるヒール部分と、前記凹部の第二の幅に対応する第二の幅を備えるトウ部分と、前記凹部の第三の幅に相当する第三の幅を備える、前記ヒールと前記トウ部分との中間の中央部分とを備える、態様３３記載のゴルフクラブヘッド。
３５．前記ヒール部分が第一の深さを備え、前記トウ部分が第二の深さを備え、前記中央部分が第三の深さを備え、
前記第三の深さが、前記第一の深さ及び第二の深さよりも深い、
態様３３記載のゴルフクラブヘッド。
３６．前記インサートが、前記凹部の第一の深さに対応する第一の深さ備えるヒール部分と、前記凹部の第二の深さに対応する第二の深さを備えるトウ部分と、前記凹部の第三の深さに相当する第三の深さを備える、前記ヒールと前記トウ部分との中間の中央部分とを備える、態様３５記載のゴルフクラブヘッド。
３７．前記凹部が、前記バックと後壁との間にあり、これらによって構成され、前記後壁が、その中央部分に切除部を備え、
前記インサートがその頂面に切除部を備え、前記インサートの切除部が、前記凹部の切除部と整合されている、
態様２６記載のゴルフクラブヘッド。
３８．前記バック上に表示を備え、前記切除部が前記表示と整合されている、態様３７記載のゴルフクラブヘッド。
３９．前記インサートが、これを貫通する穴を構成する、態様２６記載のゴルフクラブヘッド。
４０．前記バック上に表示を備え、該穴が前記表示と整合されている、態様３９記載のゴルフクラブヘッド。
４１．前記インサートが中に刻み目を備え、該刻み目内で前記インサートに結合された第二のインサートを備える、態様２６記載のゴルフクラブヘッド。
４２．前記第二のインサートがその上に表示を備える、態様４１記載のゴルフクラブヘッド。
４３．前記インサートがカウンタボアを備え、前記第二のインサートが、前記カウンタボア内で前記インサートに結合されている、態様４１記載のゴルフクラブヘッド。
４４．前記第二のインサートが、前記カウンタボア内の適所に係止されるようになっている、態様４３記載のゴルフクラブヘッド。
４５．前記インサートが、接着剤によって前記クラブヘッドに結合されている、態様２６記載のゴルフクラブヘッド。
４６．前記インサートが、機械的な締結具によって更に前記クラブヘッドに結合されている、態様４５記載のゴルフクラブヘッド。
４７．前記機械的な締結具が前記凹部の底部から上方に延びる、態様４６記載のゴルフクラブヘッド。
４８．前記インサートと結合したプレートを備える、態様２６記載のゴルフクラブヘッド。
４９．前記プレートが前記インサートの頂部と結合している、態様４８記載のゴルフクラブヘッド。
５０．該プレートが穿孔されている、態様４８記載のゴルフクラブヘッド。
５１．前記プレートは、少なくとも一部が、金属、プラスチック、ウレタンの１つ又は２つ以上、或いは、複合体で作られている、態様４８記載のゴルフクラブヘッド。
５２．前記インサートが実質的に半透明である、態様２６記載のゴルフクラブヘッド。
５３．前記凹部が、前記バックと後壁との間にあり、これらによって構成され、前記後壁が、その中央部分に切除部を備え、
前記バックが、その上に表示を備え、
前記切除部及び前記インサートが、前記インサートを通して前記表示を見ることができるように、前記表示と整合されている、態様５２記載のゴルフクラブヘッド。
５４．前記インサートが、その中に少なくとも一つの第二のインサートを備える、態様２６記載のゴルフクラブヘッド。
５５．該少なくとも一つの第二のインサートがウエイト部材である、態様５４記載のゴルフクラブヘッド。
５６．該少なくとも一つの第二のインサートが、前記インサートの中心部に位置決めされている、態様５４記載のゴルフクラブヘッド。
５７．前記インサートが、そのヒール部分に設けられた第一の二次的インサートと、前記インサートのトウ部分に設けられた第二の二次的インサートとを有する、態様５４記載のゴルフクラブヘッド。
５８．前記第一の二次的インサートが第一の質量を有し、前記第二の二次的なインサートが第二の質量を有し、前記第一の質量が、前記第二の質量よりも大きい、態様５４記載のゴルフクラブヘッド。
５９．前記第一の二次的インサートが第一の質量を有し、前記第二の二次的なインサートが第二の質量を有し、前記第一の質量が、前記第二の質量よりも小さい、態様５７記載のゴルフクラブヘッド。
６０．前記第一の二次的インサートが第一の質量を有し、前記第二の二次的なインサートが第二の質量を有し、前記第一の質量が、前記第二の質量と実質的に等しい、態様５７記載のゴルフクラブヘッド。
６１．前記インサートが、
多層インサートであり、
第一の剛性を持つ第一の材料製の第一のインサート層を有し、該第一のインサート層は、前記フェースのリア側に結合され、
第二の剛性を持つ第二の材料製の第二のインサート層を有し、前記第二のインサート層は前記第一のインサート層に結合された、
態様２６記載のゴルフクラブヘッド。
６２．前記第二のインサート層が、前記第一のインサート層の頂部分に結合された、態様６１記載のゴルフクラブヘッド。
６３．前記第二のインサート層が内部に穿孔を備える、態様６２記載のゴルフクラブヘッド。
６４．前記穿孔が細長いスロットを備える、態様６３記載のゴルフクラブヘッド。
６５．前記細長いスロットが、前記ゴルフクラブヘッドの長手方向軸線に対して実質的に平行である、態様６４記載のゴルフクラブヘッド。
６６．前記細長いスロットが、前記ゴルフクラブヘッドの長手方向軸線に対して実質的に垂直である、態様６４記載のゴルフクラブヘッド。
６７．前記第一のインサート層が第一の色を持ち、前記第二のインサート層が第二の色を持ち、前記第一の色及び第二の色が実質的に異なる、態様６３記載のゴルフクラブヘッド。
６８．前記第一の剛性が前記第二の剛性よりも低い、態様６１記載のゴルフクラブヘッド。
６９．前記第一の剛性が前記第二の剛性よりも高い、態様６１記載のゴルフクラブヘッド。
７０．前記凹部が、上方部分と下方部分とを有し、前記インサートが、前記上方部分内に位置決めされている、態様２６記載のゴルフクラブヘッド。
７１．前記下方部分が実質的に中空である、態様７０記載のゴルフクラブヘッド。
７２．前記上方部分が第一の体積を持ち、前記下方部分が第二の体積を持ち、前記第一の体積が前記第一の体積よりも小さい、態様７０記載のゴルフクラブヘッド。
７３．前記第二の体積が前記第一の体積の少なくとも２倍である、態様７２記載のゴルフクラブヘッド。
７４．前記第一の体積が、約１．６４〜約３．２８ｃｍ３（約０．１〜約０．２インチ３）であり、前記第二の体積が、約１．６４〜約６．５６ｃｍ３（約０．１〜約０．４インチ３）である、態様７２記載のゴルフクラブヘッド。
７５．前記第一の体積が、約２．２９〜約２．４６ｃｍ３（約０．１４〜約０．１５インチ３）であり、前記第二の体積が、約２．４６〜約４．１０ｃｍ３（約０．１５〜約０．２５インチ３）である、態様７４記載のゴルフクラブヘッド。
７６．前記上方体積が、その下方の境界部に棚部を備え、前記インサートが前記棚部に載る、態様７０記載のゴルフクラブヘッド。
７７．前記クラブヘッドが、重心と、該重心を通って延びる垂直軸線を中心に測定した、およそ２３００ｇ・ｃｍ２を越える慣性モーメントとを持つ、態様２６記載のゴルフクラブヘッド。
７８．前記慣性モーメントが、約２３００ｇ・ｃｍ２〜約３０００ｇ・ｃｍ２である、態様７７記載のゴルフクラブヘッド。
【図１】
0003165194.tif 000003
【図２】
0003165194.tif 000004
【図３】
0003165194.tif 000005
【図４】
0003165194.tif 000006
【図５】
0003165194.tif 000007
【図６】
0003165194.tif 000008
【図７】
0003165194.tif 000009
【図８】
0003165194.tif 000010
【図９】
0003165194.tif 000011
【図１０】
0003165194.tif 000012
【図１１】
0003165194.tif 000013